(57)【要約】【課題】構築物を基盤として仮設足場用ブラケットをもって仮設足場とする、多目的に利用できる仮設足場用ブラケットを提供する。【解決手段】壁式鉄筋コンクリート造構築物の化粧打ち込み型枠６に取付けられた穴開き帯状セパレーター３に、図５のように仮設足場用ブラケット１を固定用ボルト１０で固定して、仮設足場として鉄筋を組み、その仮設足場を利用しつつ化粧打ち込み型枠６を建て込みつつ、図６に示すように、化粧打ち込み型枠６にインサート付穴開き帯状部材４を取付けて、そのインサート付穴開き帯状部材４に鉄筋組みに用いた仮設足場用ブラケット１を転用架けかえして図１に示した仮設足場とする。このことにより構築物外周の外溝工事が本体工事と並行して進行できる。【選択図】  図1
2011127298.tif 000002
【特許請求の範囲】
【請求項１】
多目的に利用できる仮設足場用ブラケットであって、
取付け基盤に固定された穴開き帯状部材に、前記穴開き帯状部材を挟む2枚の穴開き固定羽根を鋼管端部に溶接固定して成る仮設足場用ブラケットを、固定用ボルトをもって脱着することを特徴とする多目的に利用できる仮設足場用ブラケット。
【請求項２】
化粧打ち込み型枠に固定された穴開き帯状セパレーターに、前記仮設足場用ブラケットを用いて鉄筋を組む仮設足場として利用できることを特徴とする請求項１記載の多目的に利用できる仮設足場用ブラケット。
【請求項３】
化粧打ち込み型枠に固定されたインサート付穴開き帯状部材に、前記仮設足場用ブラケットを用いて仮設足場として利用できることを特徴とする請求項１記載の多目的に利用できる仮設足場用ブラケット。
【請求項４】
クランプに溶接固定したクランプ付穴開き帯状部材を足場鋼管に固定して、前記仮設足場用ブラケットを用いて荷受け足場や仮設足場として利用できることを特徴とする請求項１記載の多目的に利用できる仮設足場用ブラケット。
【請求項５】
足場鋼管に穴開き帯状部材を溶接固定して、前記仮設足場用ブラケットを用いて仮設足場として利用できることを特徴とする請求項１記載の多目的に利用できる仮設足場用ブラケット。
【請求項６】
前記仮設足場用ブラケットの端部にクランプを溶接固定して、足場鋼管を用いた連結や手摺として利用できることを特徴とする請求項１〜５記載の多目的に利用できる仮設足場用ブラケット。
【発明の詳細な説明】
【技術分野】
【０００１】
本発明は、鉄筋コンクリート構築物の打ち込み型枠などを基軸として、仮設足場用ブラケットを用いて足場を構築する構築物の仮設足場に関する。
【背景技術】
【０００２】
従来の仮設足場は既成足場や単管足場でもって、構築物の周囲地盤面に自立させつつ構築物の構築に合わせて組立てて構築物の完成時に解体されている。
【０００３】
しかしながら、地盤面に自立させる既成足場や単管足場は解体されるまで、構築物周りの配管工事や外構工事を進めることはできない。
【０００４】
しかも、地盤面に自立させる既成足場や単管足場は、天候により建設工期が大きく左右されるとともに多目的に利用できるわけではない。
【０００５】
その他、本願発明に関する公知技術として次の特許文献を挙げることができる。
【先行技術文献】
【特許文献】
【０００６】
【特許文献１】特許公開２００２−６１３８５
【特許文献２】特許公開２００８−２６１１５０
【特許文献３】特許公開２００９−２６４０５７
【発明の開示】
【発明が解決しようとする課題】
【０００７】
従来の仮設足場には次のような問題点がある。
【０００８】
従来の仮設足場は前記の通り、構築物の周囲地盤面に自立させて組立てられるため、既成足場や単管足場などの支柱材が必要であるとともに、仮設足場を水平に保つジャッキ金具やジャッキ金具を受けるための補強板など多くの副資材を必要としている。
【０００９】
しかも、既成足場や単管足場などの仮設足場が解体されるまで、構築物周りの配管工事や外構工事を進めることができず建設工期を大幅に長く取る必要があった。
【００１０】
さらに、構築物周りの配管工事や外構工事は天候に左右されるため、工程が組みにくい問題点や各工事の遅延など最終仕上げ工事が集中するなかで、全ての仕上げ工事と外構工事が集中するため遅延や粗悪工事の元凶となっている。
【００１１】
また、構築物の周囲地盤面に自立させる既成足場や単管足場は、仮設資材が大量に必要であるとともに種類や部品が多く、運搬費や工賃が高く建設コストを引き上げている。
【００１２】
本発明は、上記のような従来の問題点に鑑み、構築物の構築と並行して構築物周りの配管工事や外構工事ができる仮設ブラケットを用いた仮設足場を提供することを課題とする。
【課題を解決するための手段】
【００１３】
この発明は、上記の課題を解決するためになされたもので、多目的に利用できる仮設足場用ブラケットであって、取付け基盤に固定された穴開き帯状部材に、前記穴開き帯状部材を挟む2枚の穴開き固定羽根を鋼管端部に溶接固定して成る仮設足場用ブラケットを、固定用ボルトをもって脱着することを特徴とする多目的に利用できる仮設足場用ブラケット（請求項１）を提供する。
【００１４】
化粧打ち込み型枠に固定された穴開き帯状セパレーターに、前記仮設足場用ブラケットを用いて鉄筋を組む仮設足場として利用できることを特徴とする請求項１記載の多目的に利用できる仮設足場用ブラケット（請求項２）を提供する。
【００１５】
化粧打ち込み型枠に固定されたインサート付穴開き帯状部材に、前記仮設足場用ブラケットを用いて仮設足場として利用できることを特徴とする請求項１記載の多目的に利用できる仮設足場用ブラケット（請求項３）を提供する。
【００１６】
クランプに溶接固定したクランプ付穴開き帯状部材を足場鋼管に固定して、前記仮設足場用ブラケットを用いて荷受け足場や仮設足場として利用できることを特徴とする請求項１記載の多目的に利用できる仮設足場用ブラケット（請求項４）を提供する。
【００１７】
足場鋼管に穴開き帯状部材を溶接固定して、前記仮設足場用ブラケットを用いて仮設足場として利用できることを特徴とする請求項１記載の多目的に利用できる仮設足場用ブラケット（請求項５）を提供する。
【００１８】
前記仮設足場用ブラケットの端部にクランプを溶接固定して、足場鋼管を用いた連結や手摺として利用できることを特徴とする請求項１〜５記載の多目的に利用できる仮設足場用ブラケット（請求項６）を提供する。
【発明の効果】
【００１９】
本発明の特筆すべき最大の効果は、仮設足場の大切な目的は構築物を造るための仮設足場であって、構築物として残るものではなく、如何にコストを掛けないで安全に作業ができる仮設足場にできるかが最大の課題である。本発明は最小の資材と多能工でも容易に施工ができる多目的に利用できる仮設足場用ブラケットをもって仮設足場とすることで、運搬経費や施工費が最小にできる効果と外構工事が構築物と並行して作業ができる。さらに、建設の工期を短縮できる効果は大きい。
【００２０】
請求項１に係る発明によれば、取付け基盤に固定された穴開き帯状部材に、前記穴開き帯状部材を挟む2枚の穴開き固定羽根を鋼管端部に溶接固定して成る仮設足場用ブラケットを、固定用ボルトをもって脱着することにより最小の仮設資材をもって多能工でも容易に施工ができる効果と運搬経費の削減が可能である。
【００２１】
請求項２に係る発明によれば、化粧打ち込み型枠に固定された穴開き帯状セパレーターに、前記仮設足場用ブラケットを用いて鉄筋を組む仮設足場として利用できることで、鉄筋工が自由に仮設足場を組ばらししながら作業ができる。
【００２２】
請求項３に係る発明によれば、化粧打ち込み型枠に固定されたインサート付穴開き帯状部材に、前記仮設足場用ブラケットを用いて仮設足場として利用できることにより、低コストな仮設足場となるとともに、築後の構築物を維持管理する仮設足場が低コストで架けられる大きな効果もある。
【００２３】
請求項４に係る発明によれば、クランプに溶接固定したクランプ付穴開き帯状部材を足場鋼管に固定して、前記仮設足場用ブラケットを用いて荷受け足場や仮設足場として利用できることで、従来の既成足場や単管足場にも容易に利用ができる。
【００２４】
請求項５に係る発明によれば、足場鋼管に穴開き帯状部材を溶接固定して、前記仮設足場用ブラケットを用いて仮設足場として利用できることで、一般単管足場にも容易に利用ができる。
【００２５】
請求項６に係る発明によれば、前記仮設足場用ブラケットの端部にクランプを溶接固定して、足場鋼管を用いた連結や手摺として利用できることにより、安全で多目的な利用が可能となる。
【発明を実施するための最良の形態】
【００２６】
以下に、本発明の実施形態の添付図面を参照しつつ詳細に説明する。
【００２７】
（図1）本発明に係る仮設足場用ブラケットを用いた一実施仮設状況を示す矩計図である。
（図２）仮設足場用ブラケットを足場鋼管に用いた一実施仮設状況を示す矩計図、（図３）打ち込み型枠に仮設足場用ブラケットを用いて鉄筋の組足場とした仮設図、（図４）図１の一部を拡大した断面詳細図、（図５）図３のＡ部を拡大した詳細図、（図６）図４のＢ部を拡大した詳細図、（図７）図２のＣ部を拡大した詳細図、（図８）図２のＤ部を拡大した詳細図、（図９）図３、４のＥ部を拡大した詳細図、（図１０）各図の固定部を拡大した断面図である。
【００２８】
本実施形態の図面について説明すれば、図１は３階建壁式鉄筋コンクリート造構築物の外壁に用いた化粧打ち込み型枠６に、図６に示すようにインサート付穴開き帯状部材４を取付けて、インサート付穴開きセパレーター４に仮設足場用ブラケット１を固定用ボルト１０で固定して仮設足場とした、本発明に係る仮設足場用ブラケットを用いた一実施仮設状況を示す矩計図である。
【００２９】
図２は３階建壁式鉄筋コンクリート造構築物の外部地盤面に補強板１９を敷き、足場鋼管７に図８に示すように穴開き帯状部材２を溶接固定９して、クランプ金物１２を装着した仮設足場用ブラケット１を固定用ボルト１０で固定して仮設足場とし、補強板１９と足場鋼管７間に設けたジャッキ金物で仮設足場のレベルが取れるようにしている。さらに、足場鋼管７に図７に示すようにクランプ付穴開き帯状部材５を取付けて、クランプ付穴開き帯状部材５に仮設足場用ブラケット１を固定用ボルト１０で固定して荷受け足場を設けている。なお、直交クランプ金物１３と足場鋼管７をもって手摺を設けている仮設足場用ブラケットを足場鋼管に用いた一実施仮設状況を示す矩計図である。
【００３０】
図３は３階建壁式鉄筋コンクリート造構築物の内壁に用いた、化粧打ち込み型枠６に取付けられた穴開き帯状セパレーター３に、仮設足場用ブラケット１を固定用ボルト１０で固定して鉄筋を組む仮設足場とした、打ち込み型枠に仮設足場用ブラケットを用いて鉄筋の組足場とした仮設図である。
【００３１】
図４は図１の一部を拡大した断面詳細図である。
【００３２】
図５は図３のＡ部を拡大した詳細図である。
【００３３】
図６は図４のＢ部を拡大した詳細図である。
【００３４】
図７は図２のＣ部を拡大した詳細図である。
【００３５】
図８は図２のＤ部を拡大した詳細図である。
【００３６】
図９は図３、４のＥ部を拡大した詳細図である。
【００３７】
図１０は各図の固定部を拡大した断面図である。
【実施例】
【００３８】
実施例その1、多目的に利用できる仮設足場用ブラケットについて、図３に示すように、壁式鉄筋コンクリート造構築物の化粧打ち込み型枠６に取付けられた穴開き帯状セパレーター３に、図５のように仮設足場用ブラケット１を固定用ボルト１０で固定して、仮設足場として鉄筋を組み、その仮設足場を利用しつつ化粧打ち込み型枠６を建て込みつつ、図６に示すように、化粧打ち込み型枠６にインサート付穴開き帯状部材４を取付けて、そのインサート付穴開き帯状部材４に鉄筋組みに用いた仮設足場用ブラケット１を転用架けかえして図１に示した仮設足場とする。このことにより構築物外周の外溝工事が本体工事と並行して進行できる。
【００３９】
以上、本発明の実施の形態及び実施例を説明したが、本発明の範囲はこれに限定するものではない。例えば、仮設足場用ブラケット１の固定部分の穴開き帯状部材２を挟む2枚の穴開き固定羽根８の形状を限定して図示しているが、状況に応じて適宜変更形状選択されるものである。
【００４０】
また、図２に示したように、外部地盤面に補強板１９を敷き、足場鋼管７に図８に示すように穴開き帯状部材２を溶接固定９して、クランプ金物１２を装着した仮設足場用ブラケット１を固定用ボルト１０で固定して仮設足場とし、補強板１９と足場鋼管７間に設けたジャッキ金物で仮設足場のレベルが取れるようにすることで一般の構築物にも利用できる仮設足場となる。さらに、足場鋼管７に図７に示すようにクランプ付穴開き帯状部材５を取付けて、クランプ付穴開き帯状部材５に仮設足場用ブラケット１を固定用ボルト１０で固定して荷受け足場しての利用ができる。なお、直交クランプ金物１３と足場鋼管７をもって手摺としての利用もできる。
【産業上の利用可能性】
【００４１】
我が国では、取り壊される住宅の平均築後経過年数は約３０年と、イギリスの約７７年、アメリカの約５５年に比べて短いことから、我が国でも、長期優良住宅の普及の促進に関する法律が平成21年12月12日に施行された。このことにより、住宅は多世帯が住める耐用年数の長い住宅に移行する時代が来た。それに伴って住宅の維持管理が必要となり仮設足場のウエイトが高くなって価格の低い仮設足場が求められる時代となった。本発明の多目的に利用できる仮設足場用ブラケットによる仮設足場は今後の仮設足場の定義を覆す仮設足場として利用される可能性は高い。他方、多目的に利用できる仮設足場用ブラケットによる仮設足場は住宅以外の構築物の仮設足場として利用される可能性が高い。
【図面の簡単な説明】
【００４２】
【図１】本発明に係る仮設足場用ブラケットを用いた一実施仮設状況を示す矩計図である。
【図２】仮設足場用ブラケットを足場鋼管に用いた一実施仮設状況を示す矩計図である。
【図３】打ち込み型枠に仮設足場用ブラケットを用いて鉄筋の組足場とした仮設図である。
【図４】図１の一部を拡大した断面詳細図である。
【図５】図３のＡ部を拡大した詳細図である。
【図６】図４のＢ部を拡大した詳細図である。
【図７】図２のＣ部を拡大した詳細図である。
【図８】図２のＤ部を拡大した詳細図である。
【図９】図３、４のＥ部を拡大した詳細図である。
【図１０】各図の固定部を拡大した断面図である。
【符号の説明】
【００４３】
・  仮設足場用ブラケット
・  穴開き帯状部材
・  穴開き帯状セパレーター
・  インサート付穴開き帯状部材
・  クランプ付穴開き帯状部材
・  化粧打ち込み型枠
・  足場鋼管
・  穴開き固定羽根
・  溶接固定
・  固定用ボルト
・  鋼管手摺
・  クランプ金物
・  直交クランプ金物
・  基礎コンクリート
・  壁コンクリート
・  インサート
・  ビス
・  ジャッキ金物
・  補強板
【図１】
2011127298.tif 000003
【図２】
2011127298.tif 000004
【図３】
2011127298.tif 000005
【図４】
2011127298.tif 000006
【図５】
2011127298.tif 000007
【図６】
2011127298.tif 000008
【図７】
2011127298.tif 000009
【図８】
2011127298.tif 000010
【図９】
2011127298.tif 000011
【図１０】
2011127298.tif 000012